(57)【要約】【課題】フロア側に設けられ、円周面を有する固定部材と、該固定部材の円周面の中心軸を中心に、前記固定部材に対して回転可能に設けられたシートと、該シートに設けられ、前記固定部材の円周面に油膜を介して対向する面を有するライナーとを有する回転シートに関し、シートを回転させる操作力が小さく、異音の発生もない回転シート提供することを課題とする。【解決手段】ライナー２３の固定部材である回転軸１３の円周面１３ｃと対向する面に、回転軸１３の円周方向に沿った油溝２３ａが設けられている。【選択図】図１
2010036790.tif 000002
【特許請求の範囲】
【請求項１】
フロア側に設けられ、円周面を有する固定部材と、
該固定部材の円周面と空間を介して対向する円周面を有し、前記固定部材の円周面の中心軸を中心に、前記固定部材に対して回転可能に設けられたシートと、
前記固定部材、前記シートのうちの一方に設けられ、前記固定部材、前記シートのうちの他方の円周面と油膜を介して対向する面を有するライナーと、
を有する回転シートにおいて、
前記固定部材、前記シートのうちの他方に設けられた円周面と対向する前記ライナーの面に、前記固定部材、前記シートのうちの他方に設けられた円周面の円周方向に沿った油溝が設けられている
ことを特徴とする回転シート。
【請求項２】
前記固定部材、前記シートのうちの他方に設けられた円周面と対向する前記ライナーの面に、
前記固定部材、前記シートのうちの他方に設けられた円周面に向かって突出し、前記固定部材、前記シートのうちの他方に設けられた円周面と油膜を介して対向する先端面を有する突出部が複数設けられ、
前記油溝は、前記突出部の先端面に設けられていることを特徴とする請求項１記載の回転シート。
【請求項３】
前記突出部の前記固定部材、前記シートのうちの他方に設けられた円周面の円周方向の端部側は、
前記端部に行くに従って、前記固定部材、前記シートのうちの他方に設けられた円周面との間隔が広がる面であることを特徴とする請求項２記載の回転シート。
【請求項４】
前記油溝の深さは、突出部の高さと同じであることを特徴とする請求項２または３記載の回転シート。
【請求項５】
前記油溝の一部に、溝の断面積が小さくなる油押し出し部が設けられていることを特徴とする請求項１乃至４のいずれかに記載の回転シート。
【発明の詳細な説明】
【技術分野】
【０００１】
本発明は、フロア側に設けられ、円周面を有する固定部材と、該固定部材の円周面の中心軸を中心に、前記固定部材に対して回転可能に設けられたシートと、該シートに設けられ、前記固定部材の円周面に油膜を介して対向する面を有するライナーとを有する回転シートに関する。
【背景技術】
【０００２】
図８は従来の回転シートの回転機構を説明する図である。図において、フロア側に設けられた固定部材１には、円周面１ａが形成されている。
シート側の部材であるアッパベース３及びアッパベース３に取付けられたレインフォース５は、固定部材１に対してボール７を介して、固定部材１の円周面１ａの中心軸を中心に、回転可能に設けられている。
【０００３】
更にレインフォース５には、固定部材１の円周面１ａに油膜を介して対向する固定部材対向面９ａを有するライナー９が設けられている（例えば、特許文献１参照）。
【特許文献１】特開平１１−２２２０５９公報（図１）
【発明の開示】
【発明が解決しようとする課題】
【０００４】
しかし、図８に示す構成の固定部材１の円周面１ａと、ライナー９の固定部材対向面９ａとは、垂直面なので油膜が切れやすく、シートを回転させる操作力が大きくなったり、異音が発生したりする問題点がある。
【０００５】
本発明は、上記問題点に鑑みてなされたもので、その課題は、シートを回転させる操作力が小さく、異音の発生もない回転シート提供することにある。
【課題を解決するための手段】
【０００６】
請求項１に係る発明は、フロア側に設けられ、円周面を有する固定部材と、該固定部材の円周面と空間を介して対向する円周面を有し、前記固定部材の円周面の中心軸を中心に、前記固定部材に対して回転可能に設けられたシートと、前記固定部材、前記シートのうちの一方に設けられ、前記固定部材、前記シートのうちの他方の円周面と油膜を介して対向する面を有するライナーと、を有する回転シートにおいて、前記固定部材、前記シートのうちの他方に設けられた円周面と対向する前記ライナーの面に、前記固定部材、前記シートのうちの他方に設けられた円周面の円周方向に沿った油溝が設けられていることを特徴とする回転シートである。
【０００７】
請求項２に係る発明は、前記固定部材、前記シートのうちの他方に設けられた円周面と対向する前記ライナーの面に、前記固定部材、前記シートのうちの他方に設けられた円周面に向かって突出し、前記固定部材、前記シートのうちの他方に設けられた円周面と油膜を介して対向する先端面を有する突出部が複数設けられ、前記油溝は、前記突出部の先端面に設けられていることを特徴とする請求項１記載の回転シートである。
【０００８】
請求項３に係る発明は、前記突出部の前記固定部材、前記シートのうちの他方に設けられた円周面の円周方向の端部側は、前記端部に行くに従って、前記固定部材、前記シートのうちの他方に設けられた円周面との間隔が広がる面であることを特徴とする請求項２記載の回転シートである。
【０００９】
請求項４に係る発明は、前記油溝の深さは、突出部の高さと同じであることを特徴とする請求項２または３記載の回転シートである。
請求項５に係る発明は、前記油溝の一部に、溝の断面積が小さくなる油押し出し部が設けられていることを特徴とする請求項１乃至４のいずれかに記載の回転シートである。
【発明の効果】
【００１０】
請求項１−５に係る発明によれば、前記固定部材、前記シートのうちの他方に設けられた円周面と対向する前記ライナーの面に、前記固定部材、前記シートのうちの他方に設けられた円周面の円周方向に沿った油溝が設けられていることにより、前記固定部材、前記シートのうちの他方に設けられた円周面と、この円周面と対向するライナーの面との間の油膜切れがなくなり、シートを回転させる操作力が小さく、異音の発生もなくなる。
【００１１】
請求項２に係る発明によれば、前記固定部材、前記シートのうちの他方に設けられた円周面と対向する前記ライナーの面に、前記固定部材、前記シートのうちの他方に設けられた円周面に向かって突出し、前記固定部材、前記シートのうちの他方に設けられた円周面と油膜を介して対向する先端面を有する突出部が複数設けられ、前記油溝は、前記突出部の先端面に設けられていることにより、固定部材とライナーとの接触面積が減り、シートを回転させる操作力が小さくなる。
【００１２】
前記油溝は、前記突出部の先端面に設けられていることにより、前記固定部材、前記シートのうちの他方に設けられた円周面と、この円周面と対向するライナーの面である先端面との間の油膜切れがなくなり、シートを回転させる操作力が小さく、異音の発生もなくなる。
【００１３】
請求項３に係る発明によれば、前記突出部の前記固定部材、前記シートのうちの他方に設けられた円周面の円周方向の端部側は、前記端部に行くに従って、前記固定部材、前記シートのうちの他方に設けられた円周面との間隔が広がる面であることにより、突出部の端部側と、前記固定部材、前記シートのうちの他方に設けられた円周面との引っ掛かりがなくなる。また、前記固定部材、前記シートのうちの他方に設けられた円周面と対向するライナーの部分のうち、突出部以外の部分と、前記固定部材、前記シートのうちの他方に設けられた円周面との間にある油が、突出部の先端面に移動しやすくなり、油切れがなくなり、シートを回転させる操作力が小さく、異音の発生もなくなる。
【００１４】
請求項４に係る発明は、前記油溝の深さは、突出部の高さと同じであることにより、前記固定部材、前記シートのうちの他方に設けられた円周面と対向するライナーの部分のうち、突出部以外の部分と、前記固定部材、前記シートのうちの他方に設けられた円周面との間にある油が突出部の油溝に移動しやすくなり、油切れがなくなり、シートを回転させる操作力が小さく、異音の発生もなくなる。
【００１５】
請求項５に係る発明によれば、前記油溝の一部に、溝の断面積が小さくなる油押し出し部が設けられていることにより、前記固定部材、前記シートのうちの他方に設けられた円周面と、前記固定部材、前記シートのうちの他方に設けられた円周面と対向するライナーの面との間に油が油溝より押し出され、油切れがなくなり、シートを回転させる操作力が小さく、異音の発生もなくなる。
【発明を実施するための最良の形態】
【００１６】
以下、図面を用いて本発明を実施するための最良の形態を説明する。
最初に、図２を用いて、本形態例の回転シートの全体構成を説明する。図２は本形態例の回転シートの分解斜視図である。
【００１７】
図において、フロア側に固定される脚台１１上には、回転軸（固定部材）１３が設けられている。回転軸１３は、脚台１１に取付けられる円板状の基部１３ａと、基部１３ａ上に設けられ、基部１３ａより径が小さな円柱状の円柱部１３ｂとからなっている。
【００１８】
シートクッションを支持する台枠１５の下面には、回転台１７が設けられている。この回転台１７の底部には、回転軸１３の円柱部１３ｂが挿通し、内壁面１９ａが回転軸１３の円柱部１３ｂの円周面１３ｃと空間を介して対向する穴１９が形成されている。
【００１９】
穴１９を挿通した回転軸１３の円柱部１３ｂの先端面には、ねじ座２１が取付けられる。
シート側である回転台１７には、固定部材である回転軸１３の円柱部１３ｂの円周面１３ｃにグリス等の油膜を介して対向する面を有する樹脂製のライナー２３が設けられる。本形態例のライナー２３は、アッパライナー２５とロアライナー２７とからなっている。
【００２０】
このような構成により、シート側部材の台枠１５は、フロア側の固定部材である回転軸１３の円柱部１３ｂの円周面１３ｃの中心軸を中心に、回転軸１３に対して回転可能に設けられている。
【００２１】
次に、図１−図４を用いて、回転軸１３，ライナー２３，回転台１７，ねじ座２１を詳細に説明する。図１は本発明の発明部分を説明する図で、図４のＣ部分の拡大図、図３は図２において、台枠１５を取り除いた状態でのＡ方向矢視図、図４は図３の切断線Ｂ−Ｂでの断面図である。
【００２２】
これらの図において、特に図１に示すように、回転台１７の穴１９の径は、回転軸１３の円柱部１３ｂの径より大きく、基部１３ａの径より小さく設定されている。また、ねじ座２１の外径は、回転軸１３の基部１３ａの外径と略同じに設定されている。
【００２３】
そして、ライナー２３のアッパライナー２５は、円環状の基部２５ａと、立壁部２５ｂとからなっている。基部２５ａはねじ座２１の下面に油膜を介して対向し、立壁部２５ｂは、基部２５ａの内周に沿って設けられ、基部２５ａに対して略垂直な方向に延出し、回転軸１３の円柱部１３ｂの円周面１３ｃに油膜を介して対向している。
【００２４】
また、ライナー２３のロアライナー２７は、円環状の基部２７ａと、立壁部２７ｂとからなっている。基部２７ａは回転軸１３の基部１３ａの上面に油膜を介して対向し、立壁部２７ｂは、基部２７ａの内周に沿って設けられ、基部２７ａに対して略垂直方向に延出し、回転軸１３の円柱部１３ｂの円周面１３ｃに油膜を介して対向している。更に、アッパライナー２５の立壁部２５ｂの先端面と、ロアライナー２７の立壁部２７ｂの先端面とは対向するように、アッパライナー２５の立壁部２５ｂ，ロアライナー２７の立壁部２７ｂの寸法は設定されている。
【００２５】
このように、シート側である回転台１７に設けられ、アッパライナー２５とロアライナー２７とから構成される本形態例のライナー２３は、回転軸１３の円周面１３ｃと、
回転軸１３に設けられたねじ座２１の下面と、回転軸１３の基部１３ａの上面とに、油膜を介して対向している。
【００２６】
更に詳しく説明とすると、アッパライナー２５の基部２５ａ，ロアライナー２７の基部２７ａは、回転シートのスラスト方向（回転軸方向）の荷重を回転軸１３に設けられたねじ座２１，回転軸１３の基部１３ａに伝達する面であり、アッパライナー２５の立壁部２５ｂ，ロアライナー２７の立壁部２７ｂは、回転シートのラジアル方向（半径方向）の荷重を回転軸１３の円柱部１３ｂに伝達する面となっている。
【００２７】
アッパライナー２５の立壁部２５ｂの先端側で、回転軸１３の円柱部１３ｂの円周面１３ｃと対向する面には、回転軸１３の円柱部１３ｂの円周方向に沿った油溝２５ｄが形成されている。同様に、ロアライナー２７の立壁部２７ｂの先端側で、回転軸１３の円柱部１３ｂの円周面１３ｃと対向する面には、回転軸１３の円柱部１３ｂの円周方向に沿った油溝２７ｄが形成されている。そして、アッパライナー２５とロアライナー２７とが組付けられると、油溝２５ｄと油溝２７ｄとは一体化され、断面形状が割円状で、回転軸１３の円柱部１３ｂの円周方向に沿った油溝２３ａとなる。
【００２８】
また、ねじ座２１の下面と対向するアッパライナー２５の基部２５ａの面には、回転軸１３の円柱部１３ｂの円周方向に沿った油溝２５ｃが設けられている。更に、回転軸１３の基部１３ａの上面と対向するロアライナー２７の基部２７ａの面には、回転軸１３の円柱部１３ｂの円周方向に沿った油溝２７ｃが設けられている。
【００２９】
ここで、図５−図７を用いてライナー２３を更に詳細に説明する。図５はライナーの平面図、図６は図５のＤ部分の拡大図、図７は図６のＥ方向矢視図である。
図５，図６に示すように、ライナー２３の固定部材である回転軸１３の円周面１３ｃと対向する面には、回転軸１３の円周面１３ｃに向かって突出し、回転軸１３の円周面１３ｃと油膜を介して対向する先端面を有する突出部２３ｃが複数設けられている。そして、油溝２３ａは、突出部２３ｃの先端面に設けられている。
【００３０】
また、突出部２３ｃの回転軸１３の円柱部１３ｂの円周方向の端部側Ｔ，Ｔ’は、端部に行くに従って回転軸１３の円周面１３ｃとの間隔が広がる面（斜面）となっている。尚、
端部に行くに従って回転軸１３の円周面１３ｃとの間隔が広がる面として、他に曲面であってもよい。
【００３１】
更に、図６に示すように油溝２３ａの深さは、突出部２３ｃの高さと同じとした。よって、ライナー２３の固定部材である回転軸１３の円周面１３ｃと対向する面のうち、突出部以外の面と、突出部２３ｃの油溝２３ａの底面とが面一（つらいち）となっている。
【００３２】
また、図７に示すように、油溝２３ａの一部に、油溝２３ａの幅が狭くなって断面積が小さくなる油押し出し部２３ｄが設けられている。
このような構成によれば、以下のような効果が得られる。
【００３３】
(1)  ライナー２３に、固定部材としての回転軸１３の円柱部１３ｂの円周方向に沿った油溝２３ａが設けられていることにより、回転軸１３の円柱部１３ｂの円周面１３ｃと、ライナー２３の回転軸１３の円柱部１３ｂの円周面１３ｃとの間の油膜切れがなくなり、シートを回転させる操作力が小さく、異音の発生もなくなる。
【００３４】
(2) ライナー２３の固定部材である回転軸１３の円周面１３ｃと対向する面には、回転軸１３の円周面１３ｃに向かって突出し、回転軸１３の円周面１３ｃと油膜を介して対向する先端面を有する突出部２３ｃが複数設けられていることにより、回転軸１３の円周面１３ｃとライナー２３との接触面積が減り、シートを回転させる操作力が小さくなる。
【００３５】
(3) 油溝２３ａは、突出部２３ｃの先端面に設けられていることにより、回転軸１３の円柱部１３ｂの円周面１３ｃと、ライナー２３の回転軸１３の円柱部１３ｂの円周面１３ｃと対向する面との間の油膜切れがなくなり、シートを回転させる操作力が小さく、異音の発生もなくなる。
【００３６】
(4) 突出部２３ｃの回転軸１３の円柱部１３ｂの円周方向の端部側Ｔ，Ｔ’は、端部に行くに従って回転軸１３の円周面１３ｃとの間隔が広がる面であることにより、突出部２３ｃの端部側Ｔ，Ｔ’と、回転軸１３の円柱部１３ｂの円周面１３ｃとの引っ掛かりがなくなる。また、回転軸１３の円柱部１３ｂの円周面１３ｃと対向するライナー２３の部分のうち、突出部２３ｃ以外の部分と、回転軸１３の円柱部１３ｂの円周面１３ｃと対向する面との間にある油が、突出部２３ｃの先端面に移動しやすくなり、油切れがなくなり、シートを回転させる操作力が小さく、異音の発生もなくなる。
【００３７】
(5) 油溝２３ａの深さは、突出部２３ｃの高さと同じであることにより、回転軸１３の円柱部１３ｂの円周面１３ｃと対向するライナー２３の部分のうち、突出部２３ｃ以外の部分と、回転軸１３の円柱部１３ｂの円周面１３ｃとの間にある油が、突出部２３ｃの油溝２３ａに移動しやすくなり、油切れがなくなり、シートを回転させる操作力が小さく、異音の発生もなくなる。
【００３８】
(6) 油溝２３ａの一部に、溝の断面積が小さくなる油押し出し部２３ｄが設けられていることにより、回転軸１３の円柱部１３ｂの円周面１３ｃと、円周面１３ｃに対向するライナー２３の突出部２３ｃの面との間に油が油溝より押し出され、油切れがなくなり、シートを回転させる操作力が小さく、異音の発生もなくなる。
【００３９】
尚、本発明は、上記形態例に限定するものではない。例えば、油押し出し部は、油溝２３ａの幅を狭くして形成したが、溝の深さを浅くしても良い。
更に、上記形態例では、ライナー２３を回転台１７に設ける例で説明を行なったが、ライナーは回転軸１３側に設ける構成でもよい。
【図面の簡単な説明】
【００４０】
【図１】本発明の発明部分を説明する図で、図４のＣ部分の拡大図である。
【図２】形態例の回転シートの分解斜視図である。
【図３】図２において、台枠１５を取り除いた状態でのＡ方向矢視図である。
【図４】図３の切断線Ｂ−Ｂでの断面図である。
【図５】ライナーの平面図である。
【図６】図５のＤ部分の拡大図である。
【図７】図６のＥ方向矢視図である。
【図８】従来の回転シートの回転機構を説明する図である。
【符号の説明】
【００４１】
１３  回転軸
１３ｂ  円柱部
１３ｃ  円周面
２３  ライナー
２３ａ  油溝
【図１】
2010036790.tif 000003
【図２】
2010036790.tif 000004
【図３】
2010036790.tif 000005
【図４】
2010036790.tif 000006
【図５】
2010036790.tif 000007
【図６】
2010036790.tif 000008
【図７】
2010036790.tif 000009
【図８】
2010036790.tif 000010